(57)【特許請求の範囲】
【請求項１】
庇の上面を被覆する庇上面被覆部（７）と、庇上面被覆部（７）の前端から下折れした庇の前面を被覆する庇前面被覆部（８）と、庇前面被覆部（８）の下端を内側に折返してなる係合部（９）と、庇上面被覆部（７）の後端に起立した立上り片（１２）とを有し、
庇上面被覆部（７）の左右一側端縁に沿って溝部（１０）を設け、他側端縁に沿って前記溝部（１０）内に挿入可能な下折片（１１）を設けるとともに、
前記立上り片（１２）の一側を庇上面被覆部（７）の左右両端幅よりも長く側方へ延設してなる構成を備えた庇化粧パネル。
【請求項２】
溝部（１０）の外側に下地固着面部を延設してなる請求項１に記載の庇化粧パネル。
【請求項３】
溝部（１０）の外側壁（１０ａ）の先端を溝部内に内折れさせ、この内折れした部分に係合するように下折片（１１）を形成してなる請求項１に記載の庇化粧パネル。
【請求項４】
請求項１に記載の庇化粧パネルを複数並べて取り付けることにより庇化粧面を構成する庇化粧パネルの取り付け構造において、
各庇化粧パネル（１）を、その溝部（１０）内にこれと隣接する庇化粧パネル（１）の下折片（１１）を差し入れるとともに、隣接する庇化粧パネル（１）の立上り片（１２）の端部同士を重ね合わせて取り付けることを特徴とする庇化粧パネルの取り付け構造。
【請求項５】
請求項１に記載の庇化粧パネルを複数並べて取り付けることにより庇化粧面を構成する庇化粧パネルの取り付け構造において、
庇下地構造（５０）の上面に固着する下地固着板面部（３ａ、２１ａ）と当該下地固着板面部の前端縁から下折れした係止片（３ｂ、２１ｂ）を備えてなる庇掛け（３、２１）を庇下地構造（５０）の軒先上面部に取り付け、
各庇化粧パネル（１）を、その係合部（９）を庇掛け（３、２１）の係止片（３ｂ、２１ｂ）に引っ掛けて庇下地構造（５０）の上面に取り付けるとともに、その溝部（１０）内にこれと隣接する庇化粧パネル（１）の下折片（１１）を差し入れ、隣接する庇化粧パネル（１）の立上り片（１２）の端部同士を重ね合わせて取り付けることを特徴とする庇化粧パネルの取り付け構造。
【請求項６】
請求項１に記載の庇化粧パネルを複数並べて取り付けることにより庇化粧面を構成する庇化粧パネルの取り付け構造において、
庇下地構造（５０）の上面に固着する下地固着板面部（３ａ、２１ａ）と当該下地固着板面部の前端縁から下折れした係止片（３ｂ、２１ｂ）を備えてなる庇掛け（３、２１）を庇下地構造（５０）の軒先上面部に取り付け、
各庇化粧パネル（１）を、その係合部（９）を庇掛け（３、２１）の係止片（３ｂ、２１ｂ）に引っ掛けて庇下地構造（５０）の上面に取り付けるとともに、その溝部（１０）内にこれと隣接する庇化粧パネル（１）の下折片（１１）を差し入れ、隣接する庇化粧パネル（１）の立上り片（１２）の端部同士を重ね合わせて取り付け、
さらに、前記庇化粧パネル（１）の係合部（９）に係止片（４ｃ、２４ｃ）を係合させて庇下地構造（５０）の軒先下面に庇軒下化粧カバー（４、２４）を嵌めこんで固定することを特徴とする庇化粧パネルの取り付け構造。
【発明の詳細な説明】
【０００１】
【発明の属する技術分野】
本発明は、雨や日差しを防ぐために窓や玄関等の上部に構築する庇の構成部品、中でも建物壁面に沿って水平方向に長く延設する庇の化粧面を構成する庇化粧パネル及び庇化粧パネルの取り付け構造に関する。
【０００２】
【従来の技術及び発明が解決しようとする課題】
この種の庇は、躯体壁面の所定高さに複数の庇支持ブラケットを適宜間隔をおいて突設し、これら庇支持ブラケット上に野地板を架け渡すなどして庇下地構造を構築し、この庇下地構造上に板金等を葺いて庇化粧面を仕上げるように施工するのが一般的であった。
【０００３】
しかし、庇化粧面を被覆する板金は、塩ビ鋼板などを一つ一つ手加工していたため、生産コストが高くついたほか仕上がりにバラツキもみられた。また、施工においても、板金をきれいに葺くにはかなりの熟練した技術が必要とされ、未熟な者が施工すると庇化粧パネルの継ぎ目の部分から雨水が下地にしみ込んだり、下地寸法に誤差があると端部の納まりが悪くなるなどの課題があった。特に曲面からなる壁面に庇を円弧状にきれいに施工することは難しいことであった。
【０００４】
そこで本発明は、上記課題に鑑み、建物壁面に沿って延設する庇において、安価に生産可能であり、しかも特別な技術が無くても容易かつ安定してきれいに施工することができる庇化粧パネルとその取り付け構造を提供せんとする。
【０００５】
【課題を解決するための手段】
かかる課題を解決するため、本発明は、図１に示すように、庇化粧面を複数の庇化粧パネルを並べて構成することとし、図２及び図６に示すように、各庇化粧パネルは、庇の上面を被覆する庇上面被覆部と、庇上面被覆部の前端から下折れした庇の前面を被覆する庇前面被覆部と、庇前面被覆部の下端を内側に折返してなる係合部と、庇上面被覆部の後端に起立した立上り片とを有し、庇上面被覆部の左右一側端縁に沿って溝部を設け、他側端縁に沿って前記溝部内に挿入可能な下折片を設けるとともに、前記立上り片の一側を庇上面被覆部の左右両端幅よりも長く側方へ延設した構成とした。
ただし、図は本発明の一例であって、本発明の構成が図に示された構成に限定されるものではない。
【０００６】
このように庇化粧面を被覆する板金を分割して部材化することにより、各庇化粧パネルは機械生産が可能となり施工コストを抑えることができる。また、隣接する庇化粧パネルの溝部内に下折片を挿入して目地部を構成することにより、両側の庇化粧パネルの庇上面被覆部上の雨水などをこの溝部に集めて排水溝とすることができる。この際、隣接する庇化粧パネルの端縁部同士を重ねて溝部を構成することも考えられるが、この場合には端縁部同士を重ねた部分から水漏れする可能性があるのに対し、本発明のように構成すれば庇化粧パネルの目地部から水漏れする心配がない。しかも、本発明の庇化粧パネルは、下折片が溝部内で移動可能な範囲すなわちその溝幅分だけ左右に取付け位置を調整できるからたとえ庇下地構造に寸法誤差があったとしてもこの誤差を吸収することができ、特別な技術が無くても容易かつ安定してきれいに庇化粧面を仕上げることができる。
【０００７】
上記構成を備えた庇化粧パネルは、例えば建物外壁に沿って外向き張出状に設けられた庇下地構造上に、隣接する庇化粧パネルの溝部内に下折片を差込みつつ配設し、必要に応じて位置調整をした上、図３（Ａ）に示すように、庇化粧パネルの溝部における外側壁に掛止可能な掛止部と下地固着面部とを備えてなる庇化粧パネル用固定具を用いて、庇化粧パネルの溝部の外側壁に固定具の掛止部を掛止し、当該固定具の下地固着面部にビスや釘などの固着具を打ち込んで庇下地構造に固着するようにして取付けることができる。
このように庇化粧パネルを取付ければ、各庇化粧パネルの左右端側の浮き上がりを抑えることができるばかりか、図３（Ｂ）に示すように、溝部内に釘等の固着具を打ち込んだ場合にはその固定孔から漏水が発生する可能性があるのに対し、このような漏水の心配をすることがない利益を享受することができる。
なお、上記のような庇化粧パネル用固定具を用いる代わりに、上記庇化粧パネルにおける溝部の外側に下地固着面部をするようにしても同様の効果を享受することができる。
また、前記構成の庇化粧パネルは、溝部の外側壁の先端を溝部内に内折れさせ、この内折れした部分に係合するように下折片を形成することが好ましい。
【０００８】
本発明の庇化粧パネルの取り付け構造は、前記構成の庇化粧パネルを複数並べて取り付けることにより庇化粧面を構成するものであり、各庇化粧パネルを、その溝部内にこれと隣接する庇化粧パネルの下折片を差し入れるとともに、隣接する庇化粧パネルの立上り片の端部同士を重ね合わせて取り付けることを特徴とする。
【０００９】
また、本発明の庇化粧パネルの取り付け構造は、庇下地構造の上面に固着する下地固着板面部と当該下地固着板面部の前端縁から下折れした係止片を備えてなる庇掛けを庇下地構造の軒先上面部に取り付け、前記構成の各庇化粧パネルを、その係合部を前記庇掛けの係止片に引っ掛けて庇下地構造の上面に取り付けるとともに、その溝部内にこれと隣接する庇化粧パネルの下折片を差し入れ、隣接する庇化粧パネルの立上り片の端部同士を重ね合わせて取り付けることを特徴とする。
これによれば、庇下地構造の上面軒先に下地固着板面部を重ねて庇掛けを固着した後、庇掛けの係止片に庇化粧パネルの係合部を係合させて庇化粧パネルを取り付ければ、庇化粧パネルの軒先側の浮き上がりを防止することができ、安定した状態に取り付けることができる。
【００１０】
前記庇掛けとしては、庇下地構造の上面に固着する下地固着板面部と、当該下地固着板面部の前端縁から下折れした、前記庇化粧パネルの係合部と係合可能な係止片とを備え、庇化粧パネルの溝部に当たる部分に切欠部を設けてなる構成を備えて形成することができる。このように形成すれば、切欠部に庇化粧パネルの溝部を納めることができ、上記の庇掛けと干渉しないように庇化粧パネルを取り付けることができる。
【００１１】
更に、曲面からなる壁面に庇を施工する場合言い換えれば円弧状に庇を形成する場合の庇掛けとして、上記庇掛けの係止片を、下地固着板面部の前端縁における左右両端を適宜巾残した中央部から下折れ形成し、かつ下地固着面部の少なくとも前端縁を壁面或いは庇下地構造の前縁等に沿ってテーパ状に形成したり、或いは下地固着板面部の前後縁に、隣接する庇掛けの端部位置を合わせる罫書部を設けることができる。このように庇掛けを形成すれば、円弧状に庇を施工する場合でも、特別な技術が無くても簡単かつきれい（均等）に施工することができる。なお、下地固着板面部の前端縁をテーパ状に形成することと、罫書部を設けることとを両方備えるように形成するのが好ましいが、いずれか一方でも構わない。
【００１２】
また、本発明の庇化粧パネルの取り付け構造は、庇下地構造の軒先下面に嵌め込むことができ、庇化粧パネルの係合部に係合させ得る係止片を備えてなる庇軒下化粧カバーを用い、これを、庇化粧パネルの係合部に係止片を係合させて庇下地構造の軒先下面に嵌めこんで固定することを特徴とする。
庇下地構造の軒下部分に野地板が露出していると、外壁にモルタルを塗ったり、塗装を仕上げる際に見切りの位置が曖昧になり施工しにくいことがあるが、上記の庇軒下化粧カバーで庇下地構造の軒先下面を被覆すればこのような課題が解消されるほか、下から見てもきれいに庇を仕上げることができる。しかも、この庇軒下化粧カバーの係止片に庇化粧パネルの係合部を係合させておいて、庇化粧パネルを下方に押圧した状態で庇軒下化粧カバーを躯体側に固定すれば、庇化粧パネルの軒先側の浮き上がりを一層確実に抑えることができる。
【００１３】
【発明の実施の形態】
以下、実施例に基づいて本発明の実施形態について説明する。
【００１４】
本実施例では、図１、図４及び図５に示すように、建物の外壁面に沿って水平方向に長く延設された庇下地構造５０と、庇下地構造５０の下面を被覆する庇軒下天井部材５３と、庇下地構造５０上に並べて配設する複数の庇化粧パネル１Ａ、１Ｂ、１Ｃ・・・１Ｕ、１Ｖ、１Ｗと、各庇化粧パネル１の左右一側端部を固定するための固定具２と、各庇化粧パネル１の軒先側を固定するための庇掛け３と、庇下地構造５０の軒先下面を被覆する庇軒下化粧カバー４と、庇化粧パネル１の下に敷き込む防水シート５などから庇を構築している。
【００１５】
庇下地構造５０は、図５に示すように、建物の外壁面を構成する壁パネル６１から外向きに突出するように複数の三角状の庇支持ブラケット５２を水平方向に適宜間隔をおいて取り付け、これら庇支持ブラケット５２の上面に掛け渡すように庇野地板５１を架設し、この庇野地板５１の軒先部分は庇支持ブラケット５２よりも適宜長さ突出させてある。また、庇支持ブラケット５２の下面を覆うように、庇支持ブラケット５２の軒先端部から壁パネル６１にかけて下方に膨出状に庇軒下天井部材５３を配設し、構成してある。
ただし、本発明における庇下地構造は、このような構造に限定されるものではなく、任意に構成可能である。
【００１６】
庇化粧パネル１Ａ、１Ｂ、１Ｃ・・・１Ｕ、１Ｖ、１Ｗ（まとめて庇化粧パネル１と言う。）は、塩ビ鋼板などの金属板材から形成したものであり、形状こそ多少異なるものの、いずれも、図６〜図８に示すように、庇下地構造５０の上面（庇野地板５１）を被覆する庇上面被覆部７を備え、この庇上面被覆部７の前端縁から下折れしてなる庇前面被覆部８を設け、この庇前面被覆部８の下端を内側すなわち躯体側に折り返してＶ溝状の係合部９を形成し、庇上面被覆部７から庇前面被覆部８の左右一側（図では右側）端縁に沿って溝部１０を設け、この溝部１０とは反対側すなわち左右他側端縁に沿って当該溝部１０内に挿入可能な下折片１１を設け、庇上面被覆部７の後端縁すなわち躯体側端縁には壁パネル６１に沿って起立した立上り片１２を立設し、庇上面被覆部７の裏面には裏打ち材１３を付設して構成するものである。
立上り片１２は、溝部１０側の端部を、庇上面被覆部７の左右両端幅よりも長く側方へ延設させてあり、図４に示されるように、庇化粧パネル１を取り付けたときに、隣接する庇化粧パネル１の立上り片１２の端部同士が重ね合わさるようになっている。
【００１７】
上記庇化粧パネル１における庇上面被覆部７は、いずれの庇化粧パネル１Ａ、１Ｂ、１Ｃ・・・１Ｕ、１Ｖ、１Ｗにおいても矩形状に形成してある。そして、その左右幅すなわち庇化粧パネル１を並べる方向の長さは、図１に示すように、曲面からなる壁面に設置する庇化粧パネル１、言い換えれば弧状に庇を形成する部分の庇化粧パネル１については、各庇化粧パネル１の角部が目立たないように短く設定するようにし、平坦な部分に設置する庇化粧パネル１についてはそのような心配がないから比較的長く設定して形成してある。
このようにして複数の庇化粧パネル１から庇上面を構成することにより、いずれの箇所に設置する庇化粧パネル１もその庇上面被覆部７を矩形状に形成すればよくなり、従来のように一つ一つ曲面に合わせて板金加工をする必要がなく、特別な技術が無くても正確に庇化粧面を仕上げることができる。
【００１８】
固定具２は、図３（Ａ）及び図１１に示すように、庇化粧パネル１の溝部１０の外側壁１０ａに上から嵌め込むことができる断面逆Ｕ字状の掛止部２ａと、この掛止部２ａを構成する一方の側壁の基端部を直角に折曲してなる下地固着面部２ｂとを備えている。なお、下地固着面部２ｂ内に釘等の固着具を打ち込むための固定孔を設けることは任意である。
【００１９】
庇掛け３は、図４に示すように、長尺な矩形面からなる下地固着板面部３ａと、この下地固着板面部３ａの前端縁から斜め下向きに折曲してなる係止片３ｂとを備えている。この場合も、下地固着板面部３ａ内に釘等の固着具を打ち込むための固定孔を設けることは任意である。
庇掛け３の長さは、図４に示すように、１枚の庇化粧パネル１の幅以上に長く設定することも、また同幅に設定することも、或いはそれよりも短く設定することもできるが、いずれの場合も、上記庇化粧パネル１の如く庇上面被覆部７から庇前面被覆部８の左右一側端縁に沿って溝部１０を備えている場合には、庇化粧パネル１を取り付ける際にこの溝部１０と係止片３ｂとがぶつかる可能性があるから、図９及び図１０に示すように、係止片３ｂ前縁（軒先側縁）の溝部１０と当たる部分、すなわち庇化粧パネル１の左右端部に当たる部分に予め切欠部３ｃを設けておくのが好ましい。この切欠部３ｃは、溝部１０の幅よりも適宜大きく、例えば溝部１０の溝幅程度大きく形成し、後に庇化粧パネル１の取り付け位置を少なくとも溝部１０の溝幅程度は調整できるように形成するのが好ましい。
【００２０】
庇軒下化粧カバー４は、図４に示すように庇下地構造５０の軒先下面に嵌め込むことができる長尺材であって、庇野地板５１の軒先下面に当接可能な野地板当接面４ａと、野地板当接面４ａの後端縁から垂下し、庇軒天井部材５３に当接可能な天井部材当接面４ｂと、野地板当接面４ａの前端縁から庇掛け３の係止片３ｂと略同じ長さ及び同じ角度で傾斜し、庇化粧パネル１の係合部９に係合させ得る係止片４ｃとを備えている。
【００２１】
以下、このような庇構成部品（庇化粧パネル１、固定具２、庇掛け３、庇軒下化粧カバー４及び防水シート５など）を使って庇化粧面を施工する方法、言い換えれば庇化粧パネル１を取り付ける方法について説明する。
【００２２】
先ず、図９に示すように、庇下地構造５０の上面を構成する庇野地板５１の軒先上面部に庇掛け３の下地固着板面部３ａを重ね、下地固着板面部３ａ内に釘等の固着具を打ち込むようにして順次複数の庇掛け３を庇下地構造５０の軒先側に並べて配設する。
【００２３】
次に、壁パネル６１から庇掛け３の下地固着板面部３ａ上にかけて被覆するように防水シート５を敷設し、この上に庇化粧パネル１を取り付ける。
【００２４】
庇化粧パネル１の取り付けは、図１０に示すように、上記の如く庇下地構造５０に固定した庇掛け３の切欠部３ｃ内に溝部１０を納めるようにして庇化粧パネル１の係合部９を庇掛け３の係止片３ｂに引っ掛けておいて、庇上面被覆部７の裏面すなわち裏打ち材１３を防水シート５を介して庇野地板５１に重ねる。そして、必要に応じて取り付け位置の調整を行った上、立上り片１２内に釘等の固着具を打ち込んで立上り片１２を壁パネル６１に固着し、図１１に示すように、庇化粧パネル１の溝部１０の外側壁１０ａに固定具２の掛止部２ａを掛止すると共に当該固定具２の下地固着面部２ｂ内に釘等の固着具を打ち込んで庇化粧パネル１を固定する。
【００２５】
上記の如く庇化粧パネル１を固定した後、これに隣接する庇化粧パネル１の係合部９を上記同様に庇掛け３の係止片３ｂに引っ掛けておき、図２及び図１２に示すように、固定された庇化粧パネル１の溝部１０内に下折片１１を挿入させつつ裏打ち材１３を庇野地板５１に重ねる。
ここで、必要に応じて庇化粧パネル１の取り付け位置の調整を図った後、立上り片１２内に釘等の固着具を打ち込んで立上り片１２を壁パネル６１に固着する一方、溝部１０に固定具２の掛止部２ａを掛止すると共に下地固着面部２ｂ内に釘等の固着具を打ち込んで、庇化粧パネル１を固定する。
この際、立上り片１２及び固定具２を固定する前であれば、下折片１１が溝部１０内で移動できる範囲すなわち溝部１０の溝幅分だけ庇化粧パネル１の取付け位置を調整することができるから、たとえ庇下地構造５０に寸法誤差があったとしてもこの誤差を吸収することができる。
【００２６】
なお、庇化粧パネル１の溝部１０内に隣接する庇化粧パネル１の下折片１１を挿入させつつ裏打ち材１３を庇野地板５１に重ねると、図１２に示すように、隣接する庇化粧パネル１の庇上面被覆部７が溝部１０の外側壁１０ａを覆うことになるが、外側壁１０ａと庇上面被覆部７との間に隙間ができて内部に水が侵入する可能性がある。そこで、同図に示すように、この隙間をシール部材１５で閉塞するのが好ましい。具体的には、その隙間を塞ぐように庇上面被覆部７の裏面にシール部材１５を貼着しておけばよい。
【００２７】
このようにして庇化粧パネル１を順次取り付けたら（全ての庇化粧パネル１を取り付ける途中でもかまわない。）、次に、図１３に示すように、庇軒下化粧カバー４の係止片４ｃを庇化粧パネル１の係合部９と庇掛け３の係止片３ｂとの間に差し入れた後、庇軒下化粧カバー４の後側すなわち野地板当接面４ａ及び天井部材当接面４ｂを上方に押し込んで、庇掛け３の係止片３ｂ、庇野地板５１の軒先下面及び庇軒天井部材５３で形成される庇の軒先に庇軒下化粧カバー４を嵌め込み、次いで、図１４に示すように、庇化粧パネル１の軒先側を下方に押圧し、この状態で当該庇軒下化粧カバー４の天井部材当接面４ｂ内に釘等の固着具を打ち込んで庇軒下化粧カバー４を固定すればよい。
【００２８】
以上のように庇化粧パネル１を取り付ければ（庇を施工すれば）、図２に示すように、各庇化粧パネル１の溝部１０内に隣接した庇化粧パネル１の下折片１１が入り込んだ状態で複数の庇化粧パネル１を並べて庇上面を構成することができるから、溝部１０を挟んだ両側の庇上面被覆部７，７上の雨水を溝部１０に集めて排水溝として機能させることができる。しかも、溝部１０は庇化粧パネル１の取り付け位置の調整代としても機能するから、下地寸法のばらつきや誤差を溝部１０で吸収して正確かつきれいに庇化粧面を仕上げることができる。
更には、各庇化粧パネル１の躯体側を立上り片１２で固定し、左右一側端を固定具２で固定し、軒先側は、庇軒下化粧カバー４で引き下げた上で庇掛け３によって固定するから、庇化粧パネル１の各端縁の浮き上がりを確実に抑えることができる。
【００２９】
なお、庇化粧パネル１における溝部１０及び下折片１１の形状は、それぞれの機能を発揮し得る形状であれば特に限定するものではない。
例えば、溝部１０は本例では上向きコ字溝状に形成しているが、Ｖ字状、Ｕ字状その他の形状であってもよいし、下折片１１は、本例では、単なる垂下片に形成してあるが、溝部１０内に入り込む形状であれば複雑な形状に形成することも可能である。但し、溝部１０の底に付かないように形成する必要がある。
また、本例では、溝部１０及び下折片１１が互いに係合しないように形成してあるが、溝部１０の外側壁１０ａの先端を溝部内に内折れさせ、この内折れした部分に係合するように下折片１１を形成することにより、図１５の（Ａ）〜（Ｆ）に示すように、左右方向すなわち庇化粧パネル１を並べる方向に可動可能であり、垂直方向には互いに係合して互いの浮き上がり、特に溝部１０側の浮き上がりを阻止し得るように形成したり、或いは図１５（Ｇ）に示すように、左右方向にも垂直方向にも互いに係合し合うように形成することも可能である。
さらに、図１６に示すように、庇化粧パネル１の溝部１０の外側壁１０ａの上端縁を外側に折り返すなどして溝部１０外側に下地固着面部１６を延設することもできる。このように形成すれば、この下地固着面部１６内に釘やビス等の固着具を打ち込んで固定することができるから、固定具２を用いなくても溝部１０内に固定孔を設けないで庇化粧パネル１の溝部１０を固定することができる。
【００３０】
また、庇化粧パネル１の構成要素のうち、庇上面被覆部７、溝部１０及び下折片１１以外の構成要素、すなわち庇前面被覆部８、係合部９、立上り片１２及び裏打ち材１３は備えているのが好ましい。
【００３１】
次に、図１７及び図１８は、曲面からなる壁面に設置する場合、言い換えれば円弧状の庇を施工するのに適した庇掛け２１及びその取り付け状態を示した図である。
【００３２】
庇掛け２１も、上記の庇掛け３同様、下地固着板面部２１ａと、この下地固着板面部２１ａの前端縁から斜め下向きに折曲してなる係止片２１ｂとを備えているが、この庇掛け２１の場合は、下地固着板面部２１ａの左右幅すなわち庇化粧パネル１を並べる方向の長さを庇化粧パネル１の左右幅よりも適宜幅長く形成し、かつ係止片２１ｂの左右幅を庇化粧パネル１の左右幅と略同様（若干短い）に形成し、下地固着板面部２１ａの前端縁における左右両端を適宜巾残した中央部分から係止片２１ｂが下折れ突出するように形成してある。但し、中央部分と言っても、図１８に示すように、次に取り付ける庇化粧パネル１側（図では右側）の下地固着板面部２１ａの前端縁をより長く残すように、言い換えれば次に取り付ける庇化粧パネル１側に下地固着板面部２１ａがより大きく突出するように形成してある（この突出部を案内突出部２１ｃという。）。そして、この下地固着板面部２１ａの案内突出部２１ｃの前側端縁２１ｄを、図１８に示すように、次に取り付ける庇化粧パネル１の角度に合わせてテーパ状に形成すると共に、当該案内突出部２１ｃの前後側端縁２１ｄ、２１ｅにおける所定の位置に、次に取り付ける庇化粧パネル１の下地固着板面部２１ａの角部（案内突出部２１ｃとは反対側の突出部２１ｆの角部）を合わせるための罫書部２２、２２を切り欠いてある。なお、この罫書部２２の形状はコ字状でも、Ｖ字状でも、その他の形状でも構わない。
【００３３】
このような庇掛け２１であれば、次に取り付ける庇化粧パネル１の下地固着板面部２１ａの角部を既に固定した庇化粧パネル１の罫書部２２、２２に合わせた上で、次に取り付ける庇化粧パネル１を既に固定した庇化粧パネル１の案内突出部２１ｃの前側端縁２１ｄに沿うように取り付けるようにすれば、特別な技術が無くても簡単かつ正確に庇掛け２１を取り付けることができる。よって庇化粧パネル１も正確に取り付けることができ、円弧状の庇をきれいに仕上げることができる。また、上記構成の庇掛け２１の場合、隣接する庇掛け２１、２１の係止片２１ｂ、２１ｂ間に凹部２３が形成され、ここに庇化粧パネル１の溝部１０を納めることができるから、庇化粧パネル１と庇掛け２１とが干渉することがない。
【００３４】
図１９及び図２０は、上記庇掛け２１に対応する庇軒下化粧カバー２４及びその取り付け方法を示すものである。
【００３５】
この庇軒下化粧カバー２４は、庇化粧パネル１の左右幅よりも適宜長い野地板当接面２４ａ及び天井部材当接面２４ｂと、庇化粧パネル１の左右幅と略同幅の係止片２４ｃとを備え、上記庇掛け２１の凹部２３と干渉しないように、左右両側部分における野地板当接面２４ａの中間部から係止片２４ｃ先端部にかけて矩形状に切除して形成してある（切除部２５、２５）。また、天井部材当接面２４ｂの中間部には垂直方向に切り込み２６を入れ、曲面に沿って容易かつきれいに取り付けることができるようにしてある。
【図面の簡単な説明】
【図１】  本発明の一実施例に係る庇の全体構造の一例を分解状態で示した斜視図である。
【図２】  庇化粧パネルにおける継目部分の構造を示した断面図である。
【図３】  同じく、庇化粧パネルにおける継目部分の構造を示した断面図であり、（Ａ）は本発明の構造の一例であり、（Ｂ）はこれの比較例である。
【図４】  本発明の一実施例に係る庇の構成部品の一例を分解状態で示した斜視図である。
【図５】  本発明の一実施例に係る庇の構造の一例を示した端面図である。
【図６】  図４の中の庇化粧パネルを拡大して示した斜視図である。
【図７】  図６の庇化粧パネルを前後２つに切断した場合の端面図である。
【図８】  図６の庇化粧パネルを左右２つに切断した場合の端面図である。
【図９】  庇の施工における途中段階の一例を示した斜視図であり、庇下地構造上に庇掛け及び防水シートを取り付けた状態を示している。
【図１０】  同じく、庇の施工における途中段階の一例を示した斜視図であり、庇化粧パネルの取付け方法を示している。
【図１１】  同じく、庇の施工における途中段階の一例を示した斜視図であり、庇化粧パネル及び固定具の取付け状態を示している。
【図１２】  庇化粧パネルの取付け状態の一例を示した端面図であり、特にシール部材の取り付け状態を示している。
【図１３】  庇の施工における途中段階の一例を示した斜視図であり、庇軒下化粧カバーの取付け方法を示している。
【図１４】  庇の施工における途中段階の一例を示した斜視図であり、庇軒下化粧カバー及び庇化粧パネルの固定方法を示している。
【図１５】  （Ａ）〜（Ｇ）のいずれも、本発明の庇化粧パネルにおける溝部及び下折片の変形例を示した端面図である。
【図１６】  本発明の庇化粧パネルの変形例を示した端面図である。
【図１７】  上記の庇掛けとは構成の異なる庇掛けの取り付け状態を示した上面図であり、（Ａ）はその外観図であり、（Ｂ）は隣接庇掛け間の継ぎ目部分を拡大して示した図である。
【図１８】  図１７の庇掛けを示した上面図である。
【図１９】  上記の庇軒下化粧カバーとは構成の異なる庇軒下化粧カバー及びその取り付け方法を示した分解斜視図である。
【図２０】  図１９の庇軒下化粧カバーを裏側から見た斜視図である。
【符号の説明】
１（１Ａ、１Ｂ、１Ｃ・・・１Ｕ、１Ｖ、１Ｗ）  庇化粧パネル
２    固定具
２ａ  掛止部
２ｂ  下地固着面部
３    庇掛け
３ａ  下地固着板面部
３ｂ  係止片
３ｃ  切欠部
４    庇軒下化粧カバー
４ａ  野地板当接面
４ｂ  天井部材当接面
４ｃ  係止片
５    防水シート
７    庇上面被覆部
８    庇前面被覆部
９    係合部
１０  溝部
１１  下折片
１２  立上り片
１３  裏打ち材
１５  シール部材
１６  下地固着面部
２１  庇掛け
２１ａ  下地固着板面部
２１ｂ  係止片
２１ｃ  案内突出部
２１ｄ  前側端縁
２１ｅ  後側端縁
２１ｆ  案内突出部２１ｃとは反対側の突出部
２２    罫書部
２３    凹部
２４    庇軒下化粧カバー
２４ａ  野地板当接面
２４ｂ  天井部材当接面
２４ｃ  係止片
２５    切除部
２６    切り込み
５０  庇下地構造
５１  庇野地板
５２  庇支持ブラケット
５３  庇軒下天井部材
６１  壁パネル
【図１】
0003971114.tif 000002
【図２】
0003971114.tif 000003
【図３】
0003971114.tif 000004
【図４】
0003971114.tif 000005
【図５】
0003971114.tif 000006
【図６】
0003971114.tif 000007
【図７】
0003971114.tif 000008
【図８】
0003971114.tif 000009
【図９】
0003971114.tif 000010
【図１０】
0003971114.tif 000011
【図１１】
0003971114.tif 000012
【図１２】
0003971114.tif 000013
【図１３】
0003971114.tif 000014
【図１４】
0003971114.tif 000015
【図１５】
0003971114.tif 000016
【図１６】
0003971114.tif 000017
【図１７】
0003971114.tif 000018
【図１８】
0003971114.tif 000019
【図１９】
0003971114.tif 000020
【図２０】
0003971114.tif 000021